(57)【要約】【課題】  利便性の良い施錠制御装置、画像形成装置、施錠制御方法および施錠システムを実現する。【解決手段】  複数の収納部にそれぞれ備えられた複数の施錠部を制御する施錠制御装置であって、収納部を示す収納部情報を表示部に複数表示させる表示制御部と、複数の収納部情報のうち一部の収納部情報の入力を受け付ける受付部と、受付部が受け付けた一部の収納部情報に対応する一部の施錠部に対して、施錠部を開錠する開錠信号を出力する開錠制御部と、を備える。【選択図】図１４
2020041395.tif 000002
【特許請求の範囲】
【請求項１】
複数の収納部にそれぞれ備えられた複数の施錠部を制御する施錠制御装置であって、
前記収納部を示す収納部情報を表示部に複数表示させる表示制御部と、
前記複数の収納部情報のうち一部の収納部情報の入力を受け付ける入力受付部と、
前記入力受付部が受け付けた前記一部の収納部情報に対応する一部の前記施錠部に対して、前記施錠部を開錠する開錠信号を出力する開錠制御部と、
を備えた施錠制御装置。
【請求項２】
前記表示制御部は、前記複数の収納部の配置を示すように、前記複数の収納部情報を前記表示部に表示させる請求項１記載の施錠制御装置。
【請求項３】
前記入力受付部は、さらに、ユーザを認証するユーザ情報の入力を受け付け、
前記表示制御部は、前記入力受付部が受け付けた前記ユーザ情報に対応する前記複数の収納部情報を前記表示部に表示させる請求項１または２記載の施錠制御装置。
【請求項４】
対象物に画像を形成する画像形成部と、請求項１〜３の何れか記載の施錠制御装置を備えた画像形成装置。
【請求項５】
複数の収納部にそれぞれ備えられた複数の施錠部を制御する施錠制御方法であって、
前記収納部を示す収納部情報を表示部に複数表示させる表示制御ステップと、
前記複数の収納部情報のうち一部の収納部情報の入力を受け付ける入力受付ステップと、
前記受付ステップで受け付けた前記一部の収納部情報に対応する一部の前記施錠部に対して、前記施錠部を開錠する開錠信号を出力する開錠制御ステップと、
を備えた施錠制御方法。
【請求項６】
それぞれ施錠部を備えた複数の収納装置と、対象物に画像を形成する画像形成装置を備えた施錠システムであって、
前記画像形成装置は、
前記収納部を示す収納部情報を表示部に複数表示させる表示制御部と、
前記複数の収納部情報のうち一部の収納部情報の入力を受け付ける入力受付部と、
前記入力受付部が受け付けた前記一部の収納部情報に対応する一部の前記施錠部に対して、前記施錠部を開錠する開錠信号を出力する開錠制御部と、
を備えた施錠システム。
【請求項７】
画像を形成する画像形成装置であって、
ユーザの操作を受け付ける操作部を有し、
前記操作部が受け付けた操作に基づき、施錠部を有する外部装置の前記施錠部の施錠制御又は開錠制御を行う画像形成装置。
【発明の詳細な説明】
【技術分野】
【０００１】
本発明は、施錠制御装置、画像形成装置、施錠制御方法および施錠システムに関する。
【背景技術】
【０００２】
特許文献１には、他の画像形成装置によって実行されるべきジョブを実行することによって排紙されるシートを、施錠可能な排紙部に排紙させるよう制御する制御手段を備える画像形成装置が記載されている。
【０００３】
特許文献２には、許諾されたキャビネット１の施錠操作を行う際に操作される施錠ボタン５０と、許諾されたキャビネット１の開錠操作を行う際に操作される開錠ボタン５１と、全てのキャビネット１の施錠操作を行う際に操作される全施錠ボタン５２と、を備えたリモコンキー６ｂが記載されている。
【０００４】
特許文献３には、複数配設される電子機器収納キャビネットのそれぞれに、相互通信可能な通信制御ユニットと電子錠ユニットを設け、いずれかひとつの電子錠ユニットに対して認証情報を手動入力することにより、同じ認証情報を記憶している全ての電子錠ユニットの開錠・施錠を行う電子錠の開錠・施錠装置が記載されている。
【発明の概要】
【発明が解決しようとする課題】
【０００５】
本発明は、利便性の良い施錠制御装置、画像形成装置、施錠制御方法および施錠システムを実現することを目的とする。
【課題を解決するための手段】
【０００６】
上記課題を解決するために、請求項１にかかる施錠制御装置は、複数の収納部にそれぞれ備えられた複数の施錠部を制御する施錠制御装置であって、収納部を示す収納部情報を表示部に複数表示させる表示制御部と、複数の収納部情報のうち一部の収納部情報の入力を受け付ける受付部と、受付部が受け付けた一部の収納部情報に対応する一部の施錠部に対して、施錠部を開錠する開錠信号を出力する開錠制御部と、を備える。
【発明の効果】
【０００７】
本発明によれば、利便性の良い施錠制御装置、画像形成装置、施錠制御方法および施錠システムを提供できる。
【図面の簡単な説明】
【０００８】
【図１】本発明の一実施形態である画像形成装置の斜視図である。
【図２】本発明の一実施形態である画像形成装置の上面図および正面図である。
【図３】本発明の一実施形態である画像形成装置の断面図である。
【図４】本発明の一実施形態である画像形成装置の内部構成を示す正面図である。
【図５】本発明の一実施形態である画像形成装置の使用状況の第一の例を示す斜視図である。
【図６】本発明の一実施形態である画像形成装置の効果の説明図である。
【図７】本発明の一実施形態である画像形成装置の使用状況の第二の例を示す斜視図である。
【図８】本発明の一実施形態である画像形成装置の使用状況の第三の例を示す斜視図である。
【図９】施錠部の動作の第一の説明図である。
【図１０】施錠部の動作の第二の説明図である。
【図１１】施錠部の動作の第三の説明図である。
【図１２】本発明の一実施形態である画像形成装置の機能ブロック図である。
【図１３】施錠部制御処理を示すフローチャートである。
【図１４】画像形成装置に表示される画面遷移の第一の例である。
【図１５】画像形成装置に表示される画面遷移の第二の例である。
【図１６】本発明の一実施形態である画像形成装置の収納装置との接続構成を示す斜視図である。
【図１７】本発明の一実施形態である画像形成装置の収納装置との接続構成を示す正面図および側面図である。
【図１８】収納装置の接続構成を示す斜視図である。
【図１９】画像形成装置と収納装置との電気的接続を示す概念図である。
【図２０】本発明の一実施形態である画像形成装置の使用状況の第四の例を示す正面図である。
【図２１】接続部の接続構成の第一の例である。
【図２２】接続部の接続構成の第二の例である。
【図２３】接続部の接続構成の第三の例である。
【図２４】接続部の接続構成の第四の例である。
【図２５】接続部の接続構成の第五の例である。
【図２６】接続部の接続構成の第六の例である。
【図２７】接続部の接続構成の第七の例である。
【図２８】接続部の接続構成の第八の例である。
【図２９】施錠部の動作の第四の説明図である。
【図３０】施錠部の動作の第五の説明図である。
【図３１】本発明の一実施形態である施錠システムの機能ブロック図である。
【図３２】図３１に示した機能ブロック図の変形例である。
【図３３】図３１に示した機能ブロック図の他の変形例である。
【図３４】図３３に示した機能ブロック図の変形例である。
【図３５】施錠部制御処理を示す第二のフローチャートである。
【図３６】画像形成装置に表示される画面遷移の第三の例である。
【発明を実施するための形態】
【０００９】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【００１０】
図１は、本発明の一実施形態である画像形成装置の斜視図である。
【００１１】
画像形成装置１は、各種情報を処理して各種機能、一例としてコピー機能、プリンタ機能、スキャナ機能、ファクシミリ機能を実行する情報処理装置であって、ＭＦＰ（Ｍｕｌｔｉ  Ｆｕｎｃｔｉｏｎ  Ｐｒｉｎｔｅｒ／Ｐｅｒｉｆｅｒａｌ／Ｐｒｏｄｕｃｔ）と呼ばれることもあるがこれに限られない。
【００１２】
画像形成装置１は、原稿の画像を読取る読取装置の一例としてのスキャナ２と、原稿を搬送して搬送された原稿の画像を読み取る自動原稿搬送装置３と、画像形成装置１への操作入力を受け付ける操作パネル４と、画像形成されたシートが排紙される排紙部５と、原稿やシート等を載せるための載置部６と、シート等の記録媒体に画像を形成する画像形成部７と、画像形成部７にて生じたシートのジャムを処理するためのジャム処理部８と、各々画像形成部７に搬送されるシートを積載するシートトレイ９Ａ、９Ｂ、９Ｃと、画像形成装置１の下部に形成される開口部１０と、収納部１１、画像形成装置１の内部構成を覆う外装１２、底板１３、カードリーダ１４を有する。
【００１３】
なお、以降各図の画像形成装置１の正面でユーザが操作を行う。そして、ユーザが画像形成装置１を操作する際にユーザが対向する画像形成装置１の面を画像形成装置１の前面と呼ぶ。また図１に示されるＸ軸方向は画像形成装置１の幅方向であり、Ｙ軸方向は画像形成装置１の高さ方向であり、Ｚ軸方向は画像形成装置１の奥行き方向である。
【００１４】
操作部である操作パネル４は、利用者の操作に応じた各種の入力を受け付けるとともに、各種の情報（例えば受け付けた操作を示す情報、画像形成装置１の動作状況を示す情報、画像形成装置１の設定状態を示す情報など）を表示する。操作パネル４は、一例としてタッチパネル機能を搭載した液晶表示装置（ＬＣＤ：Ｌｉｑｕｉｄ  Ｃｒｉｓｔａｌ  Ｄｉｓｐｌａｙ）で構成されるが、これに限られるものではない。例えばタッチパネル機能が搭載された有機ＥＬ（Ｅｌｅｃｔｒｏ−Ｌｕｍｉｎｅｓｃｅｎｃｅ）表示装置で構成されてもよい。さらに、これに加えて又はこれに代えて、ハードウェアキー等の操作部やランプ等の表示部を設けることもできる。
【００１５】
排紙部５は上部を画像形成装置１の一部、一例として図１中はスキャナ２で覆われている。また排紙部５は、画像形成装置１の幅方向の寸法内に設けられることにより、画像形成装置１の幅方向の省スペース化を実現できる。
【００１６】
シートトレイ９Ａ、９Ｂ、９Ｃは、シートトレイ９Ａ、９Ｂ、９Ｃを引き出すための取っ手９０Ａ、９０Ｂ、９０Ｃを有する。ユーザは、画像形成装置１内部に収容された状態から、取っ手９０Ａ、９０Ｂ、９０Ｃを画像形成装置１の前面方向に引っ張ることで、シートトレイ９Ａ、９Ｂ、９Ｃを画像形成装置１内部から少なくともその一部を引き出すことができる。
【００１７】
開口部１０は、開口部１０の上端である開口部上端１０１を有する。また図１において開口部１０は画像形成装置１の前面側に開放されていて、車椅子ユーザが画像形成装置１の下部にぶつかることなく画像形成装置１に近づいて操作が出来る。なお開口部１０は、図１においては一例として外装１２の一部として設けられており、開口部上端１０１は外装１２の一部とも言える。
【００１８】
収納部１１は、ユーザが収納として用いることが可能な空間を有する。
【００１９】
外装１２は、画像形成装置１の内部構成を覆う少なくとも前面、側面、背面を有している。図１に示す例において外装１２の前面、側面、背面はそれぞれ、画像形成装置１の前面、側面、背面と対応し、画像形成装置１の奥行き、幅はそれぞれ、外装１２の奥行き（前面と背面の間の距離）、幅（両側面間の距離）によって定められる。
【００２０】
底板１３は、画像形成装置１の底部である。さらに底板１３は、開口部１０の底部として構成される。
【００２１】
カードリーダ１４は、画像形成装置１を利用するユーザを認証するためのカードからユーザ情報を読み取る。一例として、ユーザがＲＦＩＤ（Ｒａｄｉｏ  Ｆｒｅｑｕｅｎｃｙ  Ｉｄｅｎｔｉｆｉｃａｔｉｏｎ）を利用した非接触ＩＣカードをカードリーダ１４にかざすと、カードリーダ１４は、非接触ＩＣカードにあらかじめ設定されたユーザ情報を読み取る。その結果、画像形成装置１にユーザ情報が入力される。
【００２２】
ここで複数のシートトレイ９Ａ、９Ｂ、９Ｃと開口部１０との位置関係について述べる。シートトレイ９Ａ、９Ｂ、９Ｃの底部をそれぞれ底部９１Ａ、底部９１Ｂ、底部９１Ｃとすると、底部９１Ａ、底部９１Ｂ、底部９１Ｃの中で底部９１Ｃが最も低い。開口部１０の上端は、三つのシートトレイ９Ａ、９Ｂ、９Ｃのうち最も底部が低いシートトレイであるシートトレイ９Ｃの底部９１Ｃよりも下に位置している。このような構成を有することにより、ユーザにとって操作しやすい画像形成装置を提供できる。一例として最も低いシートトレイの操作性が良くなる。また開口部１０は画像形成装置１の前面に開口しているため、車椅子等のユーザは開口部１０に足置き部分を入れて装置に近づいた状態でシートトレイ９Ｃ等を引き出す等の操作を行うことができ、操作性が良い。
【００２３】
次に複数のシートトレイ９Ａ、９Ｂ、９Ｃの位置関係について述べる。複数のシートトレイのうち底部が最も低いシートトレイである第一のシートトレイとしてのシートトレイ９Ｃと、第二のシートトレイとしてのシートトレイ９Ａとは、幅方向、つまり図１中のＸ軸方向に並列に配置されている。このような構成を有することにより、最も低いシートトレイの操作性を良くしつつ、複数のシートトレイの容量を確保できる。複数のシートトレイが並列に配置されている場合、各シートトレイが、画像形成装置１の高さ方向、つまり図１中のＹ軸方向で重なる部分があっても無くてもよい。一例として、シートトレイ９Ａとシートトレイ９Ｃは画像形成装置１の高さ方向で重なる部分がなくて並列に配置されている。
【００２４】
複数のシートトレイ９Ａ、９Ｂ、９Ｃと開口部１０との位置関係についてさらに述べる。複数のシートトレイのうち底部が最も低いシートトレイである第一のシートトレイとしてのシートトレイ９Ｃと、第二のシートトレイとしてのシートトレイ９Ａは並列に配置されており、開口部１０は、第一のシートトレイであるシートトレイ９Ｃと第二のシートトレイであるシートトレイ９Ａの少なくとも一方の下に位置する。また、開口部１０は、シートトレイ９Ｃおよびシートトレイ９Ａの下に位置する。
【００２５】
さらに、開口部１０は、シートトレイ９Ｃとシートトレイ９Ａの間の部分の下に位置する。
すなわち、開口部１０は、シートトレイ９Ｃの直下からシートトレイ９Ａの直下まで連続的に形成されている。このような構成により、車椅子ユーザ等が開口部１０に足置き部分を入れて、第一のシートトレイ、第二のシートトレイいずれも操作しやすい。
【００２６】
ここで、画像形成装置１の前面の構成について述べる。図１においては一例として、シートトレイ９Ａ、９Ｂ、９Ｃが画像形成装置１の内部に収容された状態での各シートトレイの前面と、外装１２の前面が略同一平面である。すなわち、外装１２の開口部１０を形成する部分とシートトレイ９Ａ、９Ｂ、９Ｃが画像形成装置１の内部に収容された状態での各シートトレイの前面とも略同一平面となっている。
【００２７】
なお、複数のシートトレイのうち底部が最も低いシートトレイである第一のシートトレイとしてのシートトレイ９Ｃと、シートトレイ９Ｃと並列に配置された第二のシートトレイとしてのシートトレイ９Ａとで、収容可能なシートの最大収容サイズを互いに異ならせてもよい。また、収容可能なシートの最大収容枚数を互いに異ならせてもよい。シートの収容サイズが異なる、つまり装置の左右方向に幅の異なるシートトレイを、または最大収容枚数が異なる、つまり装置の高さ方向に幅の異なるシートトレイを、他部材との関係で適宜配置することで画像形成装置１のレイアウトの自由度が上がる。一例として各シートトレイの最大サイズ／最大収容枚数は、シートトレイ９Ａがリーガル／５００、シートトレイ９ＢがＡ４／１００、シートトレイ９ＣがＡ４／２５０である。
【００２８】
図２は、本発明の一実施形態である画像形成装置の上面図および正面図である。
【００２９】
図２（ａ）は、画像形成装置１の上面図である。図２（ａ）において、Ｗは画像形成装置１の幅方向のサイズを表し、一例としては外装１２の両側面間の距離である。Ｄは画像形成装置１の奥行方向のサイズを表し、一例としては外装１２の前面と背面間の距離である。自動原稿搬送装置３は、原稿が積載される原稿積置部３Ａと、搬送された原稿が排紙される原稿排出部３Ｂを有する。
【００３０】
矢印Ｐはシートが画像形成される際に搬送され、また画像形成されたシートが排紙される方向を表し、矢印ｄは自動原稿搬送装置３における原稿が搬送される方向を表し、矢印Ｐ
と矢印ｄは直交している。すなわち、自動原稿搬送装置３によって搬送される原稿の原稿搬送方向と、画像が形成されるシートが搬送されるシート搬送方向とが直交している。このような構成により、例えば長尺のシートをコピーする場合に画像形成装置の幅が大きくなることを抑制できる。
【００３１】
Ｗは一例として９００ｍｍ以下である。このようにオフィス家具、一例として書類等を収納するキャビネット等の大きさを基準として幅を決めることで、画像形成装置１をオフィスに設置した際に画像形成装置１が元々あった通路に出っ張ることがない。例えば車椅子ユーザの通路を確保しやすい。
【００３２】
Ｄは一例として４５０ｍｍ以下である。Ｗは一例として９００ｍｍ以下である。このようにオフィス家具、一例として書類等を収納するキャビネット等の大きさを基準として幅を決めることで、画像形成装置１をオフィスに設置した際に画像形成装置１が元々あった通路に出っ張ることがない。例えば車椅子ユーザの通路を確保しやすい。
【００３３】
図２（ｂ）は、画像形成装置１の正面図である。図２（ｂ）において、Ｗ１０は開口部１０の幅方向のサイズを表し、矢印Ｐはシートが搬送され、排紙される方向を表す。画像形成装置１は、底部に底板１３を有する。また底板１３は、開口部１０の底部として構成され、底板１３の画像形成装置１前面側端部は開口部１０下端である開口部下端１０２として構成される。また画像形成装置１は、シートトレイ９Ａ、９Ｂ、９Ｃに収納されたシートを画像形成部７および排紙部５に搬送するシート搬送部である搬送路Ｕを内部に有する。シートトレイ９Ａ、９Ｂ、９Ｃに収納されたシートは、搬送路Ｕを搬送され、画像形成部７を下方から上方を通過する際に画像が形成される。
【００３４】
スキャナ２は、原稿を押圧する圧板２Ａと、読み取り原稿が載置される読取部２Ｂと、読取部２Ｂに積置された原稿の画像を読取るスキャナ本体２Ｃを有する。排紙部５は、画像形成されたシートが積載されるシート積載部５０と、画像形成されたシートをユーザが取り出すための取出口５１を有する。取出口５１が画像形成装置１の前面に開口しているため、車椅子ユーザは、開口部１０に足置き部分を入れて画像形成装置１により近づいた状態で取出口５１から画像が形成されたシートを取り出すことができる。
【００３５】
圧板２Ａは、読取部２Ｂに対し開閉可能である。すなわち、圧板２Ａは読取部２Ｂの上部を覆うことにより閉じる閉位置と、読取部２Ｂの上部を開放する開位置を取ることが可能である。図２は圧板２Ａが閉位置にある場合を示している。ユーザは圧板２Ａを開位置に移動させた状態で読取部２Ｂに原稿を積置し、圧板２Ａを閉位置に移動させてスキャナ本体２Ｃに原稿読み取りを行わせる。圧板２Ａは、閉位置において原稿に圧を加えて原稿がずれることを防止できる。また圧板２Ａは閉位置において原稿読み取り時の背景板となることで良好な読取を行うことができる。
【００３６】
自動原稿搬送装置３は、載置部６に対し開閉可能である。すなわち、自動原稿搬送装置３は載置部６の上部を覆うことにより閉じる閉位置と、載置部６の上部を開放する開位置を取ることが可能である。図２は自動原稿搬送装置３が閉位置にある場合を示している。ユーザは自動原稿搬送装置３を開位置に移動させた状態で載置部６に原稿やシートを置いたり取り出したりし、自動原稿搬送装置３を閉位置に移動させて自動原稿搬送装置３を使用する。
【００３７】
またＷ１０は一例として６００ｍｍ以上である。あるいはＪＩＳ―Ｔ９２０１に定める車椅子のシート幅Ｗ１以上である。このような構成により、開口部１０に車椅子の足置き部分を入れることができるため、車椅子ユーザが装置に近づいて操作しやすい。例えば画像形成装置１の幅が６００ｍｍ以上でかつ９００ｍｍ以下とすることで、車椅子の足置き部分を入れるための開口部を設けることができ、さらにオフィスに設置した際に画像形成装置１が元々あった通路に出っ張ることがない。以上説明した画像形成装置１の実施形態において、排紙部５、スキャナ２および自動原稿搬送装置３のうち、少なくとも二つが高さ方向（図１中のＹ軸方向）で重なるように並列して配置されている。さらには、排紙部５、スキャナ２および自動原稿搬送装置３のうち、二つが高さ方向に積層されており、積層された二つからなる積層部に対して、残りの一つが高さ方向で重なるように並列して配置されている。これにより、排紙部５、スキャナ２および自動原稿搬送装置３の３つを備える画像形成装置１の高さが抑制され、ユーザにとって操作性の良い画像形成装置１が提供される。
【００３８】
そして、積層された二つは、幅方向における一方の両端が他方の両端と略同じ位置になるように積層される。これにより、積層された二つの幅が抑制され、ユーザにとって操作性の良い画像形成装置１が提供される。
【００３９】
具体的には、自動原稿搬送装置３と、排紙部５とスキャナ２とのうち少なくとも一つとが、高さ方向で重なるように並列して配置されており、排紙部５とスキャナ２が積層されて積層部をなしている。より詳しくは、排紙部５とスキャナ２の積層部の上面は自動原稿搬送装置３の上面より高く、積層部の下面は自動原稿搬送装置３の下面よりも低い。。
【００４０】
図３は、本発明の一実施形態である画像形成装置の断面図である。図２に示した実施形態のＡ−Ａ断面図である。Ｈは、床に対する底板１３の高さである。Ｈは床に対する開口部下端１０２の高さということもできる。ＨＬは、床に対する底部が最も低いシートトレイ９Ｃの底部９１Ｃまでの高さである。Ｄ１０は開口部１０の奥行き方向のサイズを表す。自動原稿搬送装置３は、搬送される原稿の裏面（原稿積置部３Ａに置かれた原稿の下面）の画像を読み取る裏面読取部３３と、搬送される原稿の表面（原稿積置部３Ａに置かれた原稿の上面）の画像を読み取る表面読取部３４を有する。
【００４１】
ユーザが自動原稿搬送装置３の上部に置いた原稿は、矢印ｄの経路を搬送される間に、裏面読取部３３を通過する際に裏面の画像が読み取られ、表面読取部３４を通過する際に表面の画像が読み取られる。このような構成により、原稿一枚につき一方向への搬送を一回行う間に、原稿の両面の画像を読み取ることができる。このような構成により、原稿一枚につき搬送を二方向以上に行う場合と比べ搬送経路が短くなるため、自動原稿搬送装置３におけるジャム発生率を下げることができ操作性が向上できる。またこのような構成を１パス両面読取構成と呼ぶことがある。
【００４２】
ここでＨは一例として、ＪＩＳ―Ｔ９２０１に定める車椅子のフットサポート高Ｈ７である５０ｍｍよりも低い。また、Ｄ１０は、ＪＩＳ―Ｔ９２０１に定める車椅子のフットサポート長Ｌ５以上である。このような構成により、車椅子ユーザが画像形成装置１に足置き部分をぶつけることなく画像形成装置１により近づいて操作できる。
【００４３】
またＨＬは一例として、３００ｍｍ以上である。このような構成により、車椅子ユーザが画像形成装置１に足置き部分をぶつけることなく画像形成装置１により近づいて例えばシートトレイの開閉等の操作を行うことができる。
【００４４】
以上説明した本実施形態において、図１でも示したように開口部１０が第一のシートトレイ９Ａの下部から第二のシートトレイ９Ｃの下部まで連続的に形成されていると、図３に示したように車椅子ユーザは足置き部分を開口部１０に入れた状態で、画像形成装置１のほぼ中央位置において画像形成装置１の各種操作を行うことができる。
【００４５】
具体的には、画像形成装置１のほぼ中央に位置する操作パネル４を、操作パネル４のほぼ正面で操作可能である。また、画像形成装置１の中央部付近に位置する搬送路Ｕを挟んで幅方向に並んだシートトレイの、左右どちらのシートトレイにも手が届き操作可能である。また、画像形成装置１の中央部付近に位置する搬送路Ｕを挟んで幅方向左右に並んだシートトレイの、左右どちらのシートトレイにも手が届き操作可能である。また画像形成装置１の中央部付近を挟んで並んだ画像形成部７の部品交換処理やジャム処理部８でのジャム処理を、どちらにも手が届き処理可能である。また画像形成装置１の中央部付近を挟んで並んだスキャナ２と自動原稿搬送装置３のどちらにも手が届き操作可能である。
【００４６】
図４は、画像形成装置１の内部構成を示す正面図である。画像形成装置１は、制御基板１５と、画像形成部７の内部を開放する開閉部７１と、ジャム処理部８の内部を開放する開閉部８１と、収納部１１の内部を開放する開閉部１１１を有する。
【００４７】
画像形成部７は、ブラック、シアン、マゼンタ、イエロー各色のトナーを収納するトナーボトル７２Ｋ、７２Ｃ、７２Ｍ、７２Ｙと、トナーボトル７２Ｋ、７２Ｃ、７２Ｍ、７２Ｙから供給されるトナーを用いてブラック、シアン、マゼンタ、イエロー各色の画像を形成する画像形成ユニット７３Ｋ、７３Ｃ、７３Ｍ、７３Ｙを内部に有する。
【００４８】
画像形成部７は、また、画像形成ユニット７３Ｋ、７３Ｃ、７３Ｍ、７３Ｙが形成した各色の画像が転写される中間転写ユニット７４と、搬送路Ｕを搬送されるシートに中間転写ユニット７４に転写された画像を二次転写する二次転写部７３と、二次転写部７３に対してシートを搬送するレジストローラ７５を内部に有する。
【００４９】
ジャム処理部８は、少なくとも画像形成時に搬送路Ｕを覆う搬送部カバーであるジャム処理用開閉カバー８２と、ジャム処理用開閉カバー８２をスライドして移動させるスライドレール８４と、ユーザによる搬送路Ｕからのシート除去等のジャム処理を行うシート取り出し空間であるジャム処理空間８５と、ジャム処理空間８５を画像形成装置１の前面に対して開放するジャム処理空間開口部８６を有する。
【００５０】
二次転写部７３は、ジャム処理用開閉カバー８２に取り付けられており、ジャム処理用開閉カバー８２が移動することにより、シートに二次転写する二次転写位置と、搬送路Ｕを開放する開放位置の間で移動可能である。
【００５１】
収納部１１は、シートトレイ９Ｃと並列、かつ高さ方向（図１中のＹ軸方向）で重なるように配置され、内部にユーザが収納として用いることができる空間とを有する。さらに収納部１１は記憶媒体であるＳＤカードを挿入可能なＳＤカード挿入口１１２と、記憶媒体であるＵＳＢメモリを挿入可能なＵＳＢメモリ挿入口１１３と、ＬＡＮケーブルを接続可能なＬＡＮケーブル接続口１１４を内部に有する。ＳＤカード挿入口１１２と、ＵＳＢメモリ挿入口１１３と、ＬＡＮケーブル接続口１１４は画像形成装置１の前面に設けられる。このような構成により、画像形成装置１の前面側でその他の操作を行うユーザがそのまま収納部１１の操作も行うことができる。なお、画像形成装置１に収納するシートの容量を多くしたい場合は、収納部１１が配置されている箇所に収納部１１に替えてさらなるシートトレイを設けてもよい。
【００５２】
制御基板１５は、操作パネル４、カードリーダ１４、その他外部装置から入力された操作に基づき画像形成装置１全体を制御する。一例として、ＣＰＵ（Ｃｅｎｔｒａｌ  Ｐｒｏｃｅｓｓｉｎｇ  Ｕｎｉｔ）と、ＣＰＵの動作に必要なプログラムやデータを記憶する記憶媒体であるＲＯＭ（Ｒｅａｄ  Ｏｎｌｙ  Ｍｅｍｏｒｙ）およびＨＤＤ（Ｈａｒｄ  Ｄｉｓｋ  Ｄｒｉｖｅ）と、ＣＰＵがプログラムを実行する際のワークエリア（作業領域）であるＲＡＭ（Ｒａｎｄｏｍ  Ａｃｃｅｓｓ  Ｍｅｍｏｒｙ）、画像形成装置１の主電源からの電力を、一例として画像形成装置内の各装置等に供給制御する電力供給回路等が設けられた制御基板である。
【００５３】
ここで、図４を用いて画像形成部７によるシートへの画像形成について述べる。図１において実線で示された搬送路Ｕは、図４において破線で示されるシート搬送路Ｕ１と、排紙搬送路Ｕ２とからなる。シートトレイ９Ａ、９Ｂ、９Ｃに収納されたシートは、シート搬送路Ｕ１によって画像形成部７に搬送されて画像が形成される。画像が形成されたシートは、さらに排紙搬送路Ｕ２によって搬送され、排紙部５に排紙される。
【００５４】
シート搬送路Ｕ１は、シートトレイ９Ａとシートトレイ９Ｃ、シートトレイ９Ｃとシートトレイ９Ｂとの幅方向の間付近を、高さ方向に通過するように設けられている。シート搬送路Ｕ１を高さ方向に搬送される間に、幅方向左右いずれから搬送路Ｕ上のシートに画像が付与される。図４では、矢印Ｉで示される位置において、矢印Ｉで示される向き、つまり幅方向左側から、シートに画像が付与される。画像が付与された印刷後シートは、排紙搬送路Ｕ２によって搬送され排紙部５に排紙される。図１において説明したように排紙部５は画像形成装置１の幅方向の寸法内に設けられており、本実施形態において画像形成後、排紙搬送路Ｕ２は画像形成装置１の外を通過することなく、排紙部５に達している。
【００５５】
ここでシートトレイ９Ａ，９Ｂ，９Ｃには、シートの両面が上下になるようにシートが収納されている。その結果、図４においては、シートトレイ９Ａに収納された状態で上面であった面に画像が付与され、シートトレイ９Ａと並列であるシートトレイ９Ｂおよびシートトレイ９Ｃに収納された状態で逆の面である下面に画像が付与される。
【００５６】
画像付与は搬送路Ｕの右側からであってもよい。その場合は、シートトレイ９Ａに収納された状態で下面であった面に画像が付与され、シートトレイ９Ａと並列であるシートトレイ９Ｂおよびシートトレイ９Ｃに収納された状態で逆の面である下面に画像が付与されることになる。
【００５７】
上述のように搬送路Ｕが構成されているため、第一のシートトレイに収納されたシートに画像形成部によって画像が形成される面と、第二のシートトレイに収納されたシートに画像形成部によって画像が形成される面とは、第一のシートトレイまたは前記第二のシートトレイに収納された状態で、上下に逆の面である。このような構成とすることで、画像形成装置１の幅内で、効率よく画像形成できる。
【００５８】
ここで図４を用いてジャム処理について述べる。ジャム処理空間８５は、画像形成装置１の幅寸法内に配置されている。一例として複数のシートトレイのうちいずれかの上部に配置されている。このような構成によって、画像形成装置１の幅寸法内でシートトレイの操作と搬送路からシートを取り出すための操作を行うことができる。さらに、ジャム処理空間８５は、自動原稿搬送装置３の下部に配置されており、画像形成装置１の幅寸法内でシートトレイの操作と、搬送路からシートを取り出すための操作と、自動原稿搬送装置の操作を行うことができる。
【００５９】
そして搬送部カバーであるジャム処理用開閉カバー８２は、ジャム処理空間８５内を移動可能である。一例として、ジャム処理用開閉カバー８２は、搬送路Ｕを覆う位置である閉位置から、搬送路Ｕをジャム処理空間８５に対して開放する位置である開位置へと移動することにより、搬送路Ｕをジャム処理空間８５に対して開閉可能である。このような構成により画像形成装置１の幅寸法内で搬送部カバーを開けて給紙トレイの操作と搬送路からシートを取り出すための操作を行うことができる。
【００６０】
またジャム処理空間８５は、画像形成装置１前面に開口した取り出し空間開口部８６を有する。このような構成により、ユーザは画像形成装置１の前面側でその他の操作とともにジャム処理も行うことができる。
【００６１】
開閉部８１は取り出し空間開口部８６を画像形成装置１の外部に対して開閉可能である。このような構成によって、取り出し空間を、搬送部からシートを取り出すとき作業時以外は閉じて、画像形成装置１の内部を保護したり、外観を良くしたりできる。
【００６２】
なお図４では、いわゆるフルカラー電子写真方式の画像形成部７を例に説明を行ったが画像形成部７の方式はこれに限るものではない。例えばブラックトナーのみで画像を形成するモノクロ電子写真方式の画像形成部７としてもよい。また、各シートトレイから搬送されたシートにインクジェットヘッドで画像を形成するインクジェット方式の画像形成部７であってもよい。また、画像を形成する対象である記録媒体はシートに限らず、ロール紙等であってもよい。
【００６３】
図５は、画像形成装置１の使用状態の第一の例を示す斜視図である。画像形成装置１は、一例として収納装置２００と隣接して設置された状態で使用される。収納装置２００は、外装２１０、物品を収納可能な内部空間である収納空間を有する収納部２２０Ａ、２２０Ｂ、２２０Ｃと、施錠部２３０を有する。物品の例としては各種書類、シートトレイの用紙が無くなった場合に補充するシート束や、交換用トナーボトル等が挙げられるがこれらに限られない。
【００６４】
収納部２２０Ａ、２２０Ｂ，２２０Ｃはそれぞれ、収納部２２０Ａ、２２０Ｂ、２２０Ｃを引き出すための取っ手２２１Ａ，２２１Ｂ，２２１Ｃを有する。ユーザは、収納部２２０Ａ、２２０Ｂ，２２０Ｃが収納装置２００内部に位置する状態から、取っ手２２１Ａ，２２１Ｂ，２２１Ｃを収納装置２００の前面方向に引っ張ることで、収納部２２０Ａ、２２０Ｂ、２２０Ｃそれぞれの少なくとも一部を収納装置２００から引き出すことができる。
【００６５】
収納部２２０Ａ、２２０Ｂ，２２０Ｃの収納空間は、収納装置２００内部に位置する状態ではそれぞれ、収納部２２０Ａ、２２０Ｂ，２２０Ｃまたは前後方向（Ｚ軸方向）、上下方向（Ｙ軸方向）および左右方向（Ｘ軸方向）がそれぞれ収納装置２００の外装２１０によって覆われている。したがってこの状態では収納部２２０Ａ、２２０Ｂ、２２０Ｃは、それぞれの収納空間に収納された物品が持ち出されたり、見られたりしないようにその内部に保持可能である。このとき収納部２２０Ａ、２２０Ｂ，２２０Ｃは収納位置にあるという。
【００６６】
一方ユーザが収納空間から内部の物品を取り出す場合は、この収納部２２０Ａ、２２０Ｂ，２２０Ｃはそれぞれ収納装置２００から引き出され、収納空間と収納された物品は露出した状態となる。このとき収納部２２０Ａ、２２０Ｂ，２２０Ｃは取り出し位置にある。収納部２２０Ａ、２２０Ｂ，２２０Ｃは、それぞれの収納位置と取り出し位置の間を移動する。
【００６７】
施錠部２３０は、収納位置にある収納部２２０Ａを取っ手２２１Ａを引っ張っても取り出し位置に移動できないように施錠する。施錠部２３０が開錠状態になると収納部２２０Ａは取り出し位置に移動可能となる。施錠部２３０は一例として、電気的に操作できる電子錠（電気錠）である。また施錠部２３０は図５においては一例として収納装置２００の内部に設けられているが、これに限られない。図５では収納装置２００の内部に位置することを示すため、施錠部２３０は点線で表している。
【００６８】
また、図５に示されるように画像形成装置１の幅Ｗ、奥行きＤ、高さＨはそれぞれ、収納装置２００の幅Ｗ１、奥行きＤ１、高さＨ１と略同じ大きさを有する。なお、画像形成装置１の高さＨは幅方向、奥行き方向に一定でない場合は、画像形成装置１の最も高い部分とする。
【００６９】
なお、収納部２２０Ａ、２２０Ｂ，２２０Ｃに共通の構成・作用については収納部２２０と表記して説明することがある。また取っ手２２１Ａ、２２１Ｂ，２２１Ｃに共通の構成・作用については取っ手２２１と表記して説明することがある。
【００７０】
図６を用いて、画像形成装置１の幅、奥行きについて説明する。図６は画像形成装置１の使用状態の第二の例を示す上面図である。図６のＤ１〜Ｄ８はオフィスの机を、Ｓ１〜Ｓ８はオフィスの椅子を、そしてＣ１、Ｃ２はオフィスでキャビネットとして用いられている収納装置２００を示している。画像形成装置１は、キャビネットＣ１，Ｃ２の間にキャビネットＣ１，Ｃ２とそれぞれ隣接して設置されている。このとき画像形成装置１の奥行きＤが収納装置２の奥行きＤ１以下であれば、画像形成装置１が通路に飛び出して通行の邪魔になることなく、オフィスにおいて使い勝手がよい。
【００７１】
さらに例えば図６に示されるように、奥行きＤと奥行きＤ１がと略同じであると、オフィスの見た目がよく、また画像形成装置１と隣接する収納装置２００の両方で作業を行うユーザにとって作業がしやすい。
【００７２】
さらに例えば図６に示されるように画像形成装置１の幅Ｗが収納装置２００の幅Ｗ１と略同じであれば、元々キャビネットが設置してあるオフィスで、キャビネットの設置位置にレイアウトを変えることなく設置可能である。
【００７３】
図７は、画像形成装置１の変形例である。図７に示される画像形成装置１は、図５で示した画像形成装置１の開口部１０の位置に収納部１６が設けられている。収納部１６は、収納部１６を画像形成装置１から引き出すための取っ手１６１を有する。このようにユーザの収納を増やしたい要望に応じて画像形成装置１の一部を収納として利用することもできる。
【００７４】
このとき画像形成装置１は、収納装置２００が施錠部２３０を有しているのと同様、収納位置にある収納部１６を、取っ手１６１を引っ張っても取り出し位置に移動できないように施錠する施錠部を有していてもよい。
【００７５】
図８は、画像形成装置１の使用状態の第三の例を示す斜視図である。図８において画像形成装置１は、収納装置２００に加え、収納装置３００とも隣接して、その間に設置されている。
【００７６】
収納装置３００は、扉部３２０Ａ，３２０Ｂと、取っ手３２１Ａ、３２１Ｂを有し、取っ手３２１Ａ、３２１Ｂを引き、扉部３２０Ａ，３２０Ｂをそれぞれ回転させると内部に収納空間を有する開き戸タイプの収納装置である。扉部３２０Ａ、３２０Ｂにはそれぞれ施錠部３３０Ａ，３３０Ｂが設けられる。施錠部３３０Ａ、３３０Ｂは一例として施錠部２３０と同様電子錠であり、取っ手３２１Ａ、３２１Ｂを引いても扉部３２０Ａ，３２０Ｂが開かないように施錠可能である。このように、本発明は収納の形態が異なる収納装置にも適用可能である。
【００７７】
収納装置２００は施錠部２３０Ａ〜２３０Ｃを備えており、施錠部２３０Ａ〜２３０Ｃは、それぞれ収納位置にある収納部２２０Ａ〜２２０Ｃを取っ手２２１Ａ〜２２１Ｃを引っ張っても取り出し位置に移動できないように施錠する。
【００７８】
また図８において画像形成装置１と収納装置３００は連結具４００Ａで連結されている。画像形成装置１と収納装置２００は連結具４００Ｂで連結されている。連結具４００Ａは一例として板形状をしており、その一部を画像形成装置１および収納装置３００のそれぞれの一部にネジなどで固定することにより、画像形成装置１と収納装置３００を互いに連結する。連結具４００Ｂは一例として板形状をしており、その一部を画像形成装置１および収納装置２００のそれぞれの一部にネジなどで固定することにより、画像形成装置１と収納装置２００を互いに連結する。画像形成装置１は一例として外装の一部として、連結具を取り付け固定可能な連結具取付部１２Ｃ−１，１２Ｃ−２を有しており、画像形成装置１と収納装置は互いに連結されることにより転倒や位置ズレが防止される。
【００７９】
なお、扉部３２０Ａ、３２０Ｂに共通の構成・作用については扉部３２０と表記して説明することがある。また、取っ手３２１Ａ、３２１Ｂに共通の構成・作用については取っ手３２１と表記して説明することがある。さらに、施錠部３３０Ａ、３３０Ｂに共通の構成・作用については施錠部３３０と表記して説明することがある。
【００８０】
図９は収納装置２００の施錠部の動作の第一の説明図である。図９は施錠された状態を示している。図９に示すように施錠部２３０は一例としてソレノイドコイルを利用とした電子錠（電気錠）２３１を有する。電子錠２３１は、コイル部２３１１と、鉄心２３１２と、バネ２３１３とを有する。鉄心２３１２は、先端に行くにしたがって径が細くなるような傾斜部Ｆ１を有する。
【００８１】
コイル部２３１１への電力供給がオフの状態では、バネ２３１３が鉄心２３１２を押し下げ、施錠接続部２２２に施錠接続部２２２の凹部２２３１内に入る。施錠部２３０のこの位置を施錠部２３０の施錠位置と呼ぶことがある。図９の右向きが収納部２２０を引き出す向きであるため、この状態では収納部２２０は図中に破線で示す部分２２２２が鉄心２３１２に引っ掛かり、ユーザは引き出すことができない。このとき収納部２２０は、原稿が収納装置２００の内部に収納され、その内部から原稿を取り出すことのできない位置である収納位置にある。またこの位置にあるときは施錠されているため施錠位置にあるということもある。
【００８２】
図１０は施錠部の動作の第二の説明図である。図１０は開錠された状態を示している。
【００８３】
コイル部２３１１への電力供給がオンの状態では、コイル部２３１１が作用し、鉄心２３１２がバネ２３１３を押し上げ、鉄心２３１２が施錠接続部２２２の凹部２２２１から出る。施錠部２３０のこの状態を施錠部２３０の開錠位置と呼ぶ。このとき、収納部２２０は鉄心２３１２に引っ掛かることなくユーザは引き出すことができる。このとき収納部２２０は、原稿が収納装置２００の外部に露出し、その内部から原稿を取り出すことのできる位置である取り出し位置にある。ここで、収納部２２０が、収納位置から取り出し位置へ移動する方向は、図２で示すように原稿が原稿排出部３Ｂに排出される方向と同じであり、これらの方向は画像形成装置１の前方向（図７中のＺ軸方向）である。これにより、収納部２２０の引き出し方向を、原稿排出部３Ｂからの原稿の取り出し方向と同じにすることができ、画像形成装置１と収納装置２００の両方を使うときの操作性が向上する。
【００８４】
図１１は施錠部の動作の第三の説明図である。図１１は、収納部２２０を引き出した状態から収納位置へ移動する状態を示している。
【００８５】
施錠部２３０への電力供給がオフの状態では、図９と同様に鉄心２３１２は押し下げられている。つまり施錠部２３０は図９と同様に施錠位置にある。この状態で収納部２２０を図９の右向き押し込むと、施錠接続部２２２が傾斜部Ｆ１に接触し、押し込む力によってバネ２３１３にバネ２３１３を縮める力が働き、鉄心２３１２は施錠接続部２２２の凹部２２２１の図中、破線で示す部分２２２２を乗り越え、凹部２２２１内部に入り、施錠状態となる。収納部２２０が押し込まれ施錠状態になった後は、図９で説明したようにコイル部２３１１に電力供給されないと引き出すことができない。
【００８６】
なお、図１１では電力供給がオフの状態から収納部２２０を収納位置へ移動する場合を説明した。この場合、収納部２２０を画像形成装置１に押し込むと自動的に施錠することができるが、これに限られない。つまり図１１の状態でトレイ６２を閉め、閉めた後にユーザが操作パネル４から施錠指示を入力することでコイル部２３１への電源がオフされ、施錠される構成としてもよい。
【００８７】
なお施錠部２３０で用いるソレノイドコイルは、画像形成装置１内の他の部材で使用しているソレノイドコイルと共通化、つまり同じ種類のソレノイドコイルを用いることにより、画像形成装置１の部品として購入して部品購入コストを下げられ、また制御の一部を共通化できる。画像形成装置１内の他の部材の一例としては、中間転写ユニット７４が挙げられる。中間転写ユニット７４の中間転写ベルトを駆動させる中間転写ギヤと駆動ギヤの動作に用いられる。つまり中間転写ギヤを駆動する時としない時で、互いをかみ合わせたり離間させたりする。
【００８８】
次に収納装置の施錠部を制御する画像形成装置１の構成を説明する。図１２は、画像形成装置１の機能ブロック図である。画像形成装置１は、入力を受け付ける入力受付部１１０と、操作パネル４への表示を制御する表示制御部１２０と、画像形成装置１と外部装置との通信を制御する通信制御部１３０と、画像形成装置１の全体の制御をする制御部１４０と、画像形成装置１に関する各種データやプログラムを記憶する記憶部１５０と、記憶部１５０に対する各種データやプログラムの読出・書込を行う読出・書込処理部１６０とを有する。制御部１４０はさらに施錠部２３０を制御する施錠部制御部１４０１を有する。記憶部１５０はさらに、施錠部制御権限記憶部１５０１を有する。
【００８９】
入力受付部１１０は、制御基板１５のＣＰＵの処理によって実現され、操作パネル４（入力部の一例）またはカードリーダ１４（入力部の一例）によるユーザからの入力によって、画像形成装置１に対するユーザからの入力を受け付ける機能を実行する。ユーザからの入力の例としては、画像形成装置１を使用するためのユーザ情報に基づくログイン要求、コピー機能、プリンタ機能、スキャナ機能の実行指示やデータの記憶指示、収納装置２００の施錠部２３０に関する制御指示等であるがこれらに限られない。
【００９０】
表示制御部１２０は、制御基板１５のＣＰＵの処理によって実現され、操作パネル４（表示部の一例）に表示する表示画面を制御する機能を実行する。
【００９１】
通信制御部１３０は、制御基板１５のＣＰＵの処理によって実現され、画像形成装置１の外部装置との通信インターフェースの制御をする機能を実行する。通信は無線通信であっても有線通信であってもよい。
【００９２】
制御部１４０は、制御基板１５のＣＰＵ等の処理によって実現され、ユーザの操作に応じた画像形成装置１の動作に関する制御をする機能を実行する。施錠部制御部１４０１（開錠制御部の一例）は、制御基板１５のＣＰＵの処理によって実現され、ユーザの操作に応じた施錠部２３０に関する制御をする機能を実行する。施錠部２３０に関する制御の例としては施錠部２３０を施錠する施錠制御や開錠する開錠制御が挙げられるがこれらに限られない。
【００９３】
記憶部１５０は、制御基板１５のＲＯＭまたはＨＤＤの処理によって実行され、プログラムや文書データ、画像形成装置１の動作に必要な各種設定情報、画像形成装置１の動作ログ等を格納する機能を実行する。施錠部制御権限記憶部１５０１にはあらかじめ、ユーザ情報と、施錠部２３０に関する操作である施錠部制御を実行する権限の有無とが関連づけられた施錠部制御権限テーブルが記憶されている。ユーザ情報の例としては、画像形成装置１を使用するためにログインする際のログインＩＤであるがこれに限られない。また施錠部制御としては、施錠部２３０の開錠、施錠、情報取得等の制御であるがこれらに限られない。制御毎に権限テーブルを有していてもよいし、複数の制御に関する権限テーブルであってもよい。また、複数の施錠部２３０を管理する場合は、施錠部毎に権限テーブルを有していてもよい。
【００９４】
読出・書込処理部１６０は、制御基板１５のＣＰＵの処理によって実行され、記憶部１５０に各種データを記憶したり、記憶部１５０に記憶された各種データを読み出したりする機能を実行する。
【００９５】
本実施形態では、入力受付部１１０と、表示制御部１２０と、施錠部制御部１４０１により施錠制御装置を構成する。
【００９６】
図１３は、施錠部制御処理を示すフローチャートである。ユーザが操作パネル４から施錠部２３０の操作を指示すると開始される。操作指示の例としては、開錠、施錠、情報の取得などであるがこれらに限られない。
【００９７】
まず入力受付部１１０は、ユーザ情報を受け付ける（Ｓ１）。すると施錠部制御部１４０１は施錠部制御権限記憶部１５０１の施錠部制御権限テーブルを参照し、入力されたユーザ情報に基づきユーザが施錠部に関する操作権限を有するかを判断する（Ｓ２）。
【００９８】
そしてステップＳ２で権限有りと判断された場合（ＹＥＳ）、表示制御部１２０は開錠の対象となる収納部２２０の候補を操作パネル４に表示させ（Ｓ３）、入力受付部１１０はユーザによって入力された操作対象情報、一例として開錠の対象となる収納部２２０を特定可能な情報を受け付ける（Ｓ４）。施錠部制御部１４０１が制御している対象の収納部が一つの場合は、ステップＳ４は省略してもよい。
【００９９】
そして施錠部制御部１４０１は、入力された操作対象である収納部２２０の操作処理を実行し（Ｓ５）、開錠の対象となる収納部２２０を指定する開錠信号を出力し、本処理フローは終了する。操作指示が開錠であった場合は、操作処理は一例として図１０において説明したようなコイル部２３１への電力供給であるが、これに限られない。
【０１００】
一方ステップＳ２で権限無しと判断された場合（ＮＯ）、表示制御部１２０は、操作パネル４に、開錠権限がない旨メッセージを表示して（Ｓ６）、本処理フローは終了する。
【０１０１】
以上のように画像形成装置１の操作パネル４からの入力により、収納装置２００の収納部２２０に設けられた施錠部２３０を開錠することができるため、画像形成装置１によって、収納装置２００内に収納された物品のセキュリティを確保できる。セキュリティが確保されるべき物品は、たとえば画像形成装置１で使用される交換用トナーボトルや補充用シートである。これらは物品自体の金銭的価値が比較的高く、セキュリティが確保されるべきである。また例えば画像形成装置１でコピーされる原稿、印刷した結果である原稿は内容によって機密性が高い場合があり、セキュリティが確保されるべきである。これら画像形成装置１に関係する物品を収納する収納装置２００内に収納された物品のセキュリティを画像形成装置１によって確保することができる。
【０１０２】
また、施錠部制御権限テーブルのユーザ情報として、画像形成装置１の利用者として登録されたユーザ情報を用いる。したがって、収納装置２００の施錠開錠管理をするために特別にユーザ登録を行う必要がない。さらに、画像形成装置１で通常実行しているユーザ情報に基づくログ管理（履歴管理）機能で、外部の装置である収納装置２００の施錠部２３０の操作履歴を管理できる。
【０１０３】
さらに画像形成装置１と収納装置２００とが隣接して設置させると、画像形成装置１で印刷したセキュリティの高い文書を施錠可能な収納装置に収納したり、施錠された収納装置に収納された文書を取り出して画像形成装置１でコピーしたりスキャンしたりする際に、文書を持って長い距離移動する必要がない。
【０１０４】
次に図１４、図１５を用いて画像形成装置１に表示される画面例を説明する。まず図１４は、画像形成装置１に表示される画面遷移の第一の例である。
【０１０５】
図１４（ａ）に示される画面は、画像形成装置１の操作パネル４に表示される初期画面（ホーム画面）である。画像形成装置１で実行可能な機能として「コピー」、「プリンタ」、「スキャナ」、「キャビネットロック解除」と記載されたボタンが表示されており、ユーザは画像形成装置１で実行したい機能が記載されたボタンを押して選択可能である。またユーザは画像形成装置１に、操作パネル４からパスワードを入力したり、カードリーダ１４にＩＤカードを読み取らせたりするなどしてログインしており、図１４（ａ）の画面にはログイン中のユーザが「○○さん：ログイン中」と表示されている。いずれかの収納部２２０の開錠を行いたいユーザは図１４（ａ）において「キャビネットロック解除」と記載されたボタンを選択する。
【０１０６】
図１４（ｂ）は図１４（ａ）において「キャビネットロック解除」と記載されたボタンが選択されると表示される画面である。図１４（ｂ）の画面にはロック解除するキャビネットの候補として「１−Ａ」、「１−Ｂ」、「１−Ｃ」、「３」、「２−Ａ」、「２−Ｂ」、「２−Ｃ」の７種類のボタンが表示されている。一例として、「１−Ａ」、「１−Ｂ」、「１−Ｃ」は画像形成装置１の左側に上から順番に設置されている収納装置２００の３つの収納部２２０を表している。「３」は画像形成装置１の下部の収納部１６を表している。そして「２−Ａ」、「２−Ｂ」、「２−Ｃ」は画像形成装置１の右側に上から順番に設置されている収納装置２００の３つの収納部２２０を表している。図１４（ｂ）においてユーザは開錠したいキャビネットが記載されているボタンを選択する。
【０１０７】
図１４（ｂ）において、画像形成装置１はログイン中のユーザのユーザ情報に基づき、施錠部２３０に対する操作権限を有している収納装置２００のみ表示し、施錠部２３０に対する操作権限を有していない収納装置２００を表示しないようにしてもよい。あるいは、図１４（ｂ）において、画像形成装置１はログイン中のユーザのユーザ情報に基づき、施錠部２３０に対する操作権限を有していない収納装置２００を表示するが、選択できないようにしてもよい。
【０１０８】
なお、図１４（ａ）において「キャビネットロック解除」と記載されたボタンが押された後、画像形成装置１はログイン中のユーザのユーザ情報に基づき、施錠部２３０に対する操作権限を有しているかを判断して、権限を有していない場合は権限がない旨を操作パネル４に表示させてもよい。
【０１０９】
図１４（ｃ）は図１４（ｂ）において「１−Ａ」と記載されたボタンが選択されると表示される画面である。図１４（ｂ）の画面には開錠の対象として選択された「１−Ａ」が他の候補よりも濃い色で表示されていることを示している。そして確認メッセージとして「１−Ａを解除しますか？」「はい」「いいえ」と表示されている。ユーザは開錠の対象が正しければ「はい」を選択する。
【０１１０】
図１４（ｄ）は図１４（ｃ）において「はい」と記載されたボタンが選択されると表示される画面である。図１４（ｄ）には施錠部２３０操作の状況を示すメッセージとして、「解除しました。○○秒以内に作業完了してください。」というメッセージが表示されている。このメッセージが表示されるとユーザは開錠の対象が開錠されたことが確認でき、収納部２２０の内部に物品を収納したり、取り出したりすることができる。
【０１１１】
これらの図１４（ａ）〜（ｄ）の表示内容、および表示の切り替えは、表示制御部１２０によって制御されている。
【０１１２】
図１５は、画像形成装置１に表示される画面遷移の第二の例である。図１５（ａ）に示される画面は、画像形成装置１の操作パネル４に表示される初期画面（ホーム画面）である。画像形成装置１で実行可能な機能として「コピー」、「プリンタ」、「スキャナ」、「キャビネットロック解除」と記載されたボタンが表示されており、ユーザは画像形成装置１で実行したい機能が記載されたボタンを押して選択可能である。
【０１１３】
図１５（ｂ）は図１５（ａ）において「キャビネットロック解除」と記載されたボタンが選択されると表示される画面である。図１５（ｂ）の画面にはロック解除するキャビネットの候補として「１−Ａ」、「１−Ｂ」、「１−Ｃ」、「３」、「２−Ａ」、「２−Ｂ」、「２−Ｃ」の７種類のボタンが表示されている。一例として、「１−Ａ」、「１−Ｂ」、「１−Ｃ」は画像形成装置１の左側に設置されている収納装置２００の３つの収納部２２０を表している。「３」は画像形成装置１の収納部１６を表している。そして「２−Ａ」、「２−Ｂ」、「２−Ｃ」は画像形成装置１の右側に設置されている収納装置２００の３つの収納部２２０を表している。図１５（ｂ）においてユーザは開錠したいキャビネットが記載されているボタンを選択する。
【０１１４】
図１５（ｃ）は図１５（ｂ）において「１−Ａ」と記載されたボタンが選択されると表示される画面である。図１４（ｂ）の画面には開錠の対象として選択された「１−Ａ」が他の候補よりも濃い色で表示されていることを示している。そして認証メッセージとして「暗証番号を入力してください。」と表示されている。図１５（ｂ）の画面においてユーザは、操作パネル４からユーザ情報として暗証番号を入力する。
【０１１５】
図１５（ｄ）は、図１５（ｃ）で入力されたユーザ情報としての暗証番号に基づき、施錠部２３０の操作権限を有していることが判断されると表示される画面である。図１５（ｄ）には施錠部２３０操作の状況を示すメッセージとして、「解除しました。○○秒以内に作業完了してください。」というメッセージが表示されている。このメッセージが表示されるとユーザは開錠の対象が開錠されたことが確認でき、収納部２２０の内部に物品を収納したり、取り出したりすることができる。
【０１１６】
なお、図１５（ｃ）において入力された暗証番号としてのユーザ情報に基づき、施錠部２３０に対する操作権限を有しているかを判断して、権限を有していない場合は権限がない旨を操作パネル４に表示させてもよい。
【０１１７】
これらの図１５（ａ）〜（ｄ）の表示内容、および表示の切り替えは、表示制御部１２０によって制御されている
【０１１８】
図１４および図１５においては、操作パネル４が表示部と入力部を兼ねていたが、表示部と入力部は別体で構成してもよい。
【０１１９】
次に画像形成装置１と収納装置２００とを接続するためのハードウェア構成を説明する。図１６は図１と同様、画像形成装置１の斜視図である。図１６においては外装１２のうち、画像形成装置１の一側面を形成する部分である側面１２Ｒに収納装置２００との接続部である接続部１７Ａ，１７Ｂが設けられている。接続部１７Ａ，１７Ｂはそれぞれ、少なくとも一つの開口を有している。
【０１２０】
そして図１７（ａ）は、画像形成装置１の側面１２Ｒと反対側の側面図である。この側面１２Ｒと反対側の側面を以降側面１２Ｌと呼ぶことがある。側面１２Ｌには接続部１７Ｃ、接続部１７Ｄが設けられている。接続部１７Ｃ，１７Ｄはそれぞれ、少なくとも一つの開口を有している。また図１７（ａ）には、画像形成装置１の正面から見て側面１２Ｌ付近に設けられている各部材のうち一部、制御基板１５、トナーボトル７２Ｋ、画像形成ユニット７３Ｋ、中間転写ユニット７４が破線で示されている。制御基板１５は画像形成装置１の背面寄りに設けられている。そして接続部１７Ｃは、接続部１７Ｄよりも制御基板１５に近い位置に設けられている。
【０１２１】
図１７（ｂ）は画像形成装置１の正面図である。図１７（ｂ）には内部の制御基板１５が点線で示されている。そして制御基板１５上の電力供給回路や制御回路等と接続されたケーブル１８Ａ、１８Ｃが示されている。ケーブル１８Ａは、ケーブル部１８１Ａとコネクタ部１８２Ａを有している。ケーブル１８Ｃは、ケーブル部１８１Ｃとコネクタ部１８２Ｃを有している。本実施形態においてはケーブル１８Ａ，１８Ｃは、収納装置２００の施錠部２３０に電気的に接続されるケーブルである。
【０１２２】
図１７（ｃ）は、画像形成装置１の側面１２Ｌである。図１６で説明した接続部１７Ａ、１７Ｂが示されている。接続部１７Ａは、接続部１７Ｂよりも制御基板１５に近い位置に設けられている。
【０１２３】
以降、接続部１７Ａ、１７Ｂ、１７Ｃ、１７Ｄに共通の構成・作用については接続部１７と表示して説明することがある。ケーブル１８Ａ、１８Ｃに共通の構成・作用についてはケーブル１８と表示して説明することがある。ケーブル部１８１Ａ、１８１Ｃに共通の構成・作用についてはケーブル部１８１と表示して説明することがある。コネクタ部１８２Ａ、１８２Ｃに共通の構成・作用についてはコネクタ部１８２と表示して説明することがある。
【０１２４】
なお、図４において説明したように排紙搬送路Ｕ２は画像形成装置１の外を通過することなく、排紙部５に達している。したがって画像形成装置１の外の空間、より具体的には画像形成装置１の外装１２の外の空間には、ケーブル１８は存在するが、排紙部５および排紙搬送路Ｕ２は存在しない。したがってケーブル１８は、画像形成装置１の外に排紙されたり、画像形成装置１の外側に排紙されたりした印刷後シートをユーザが取り出す動作による影響を受けにくい。またケーブル１８のレイアウトの際、画像形成装置１の外に排紙するための機構との干渉を考慮する必要がなく、ケーブル１８のレイアウトの自由度があがる。
【０１２５】
図１８は、収納装置２００の斜視図である。図１８においては外装２１０のうち、画像形成装置１の側面と対向（又は接触）する部分である側面２１０Ｌに収納装置２００との接続部である接続部２４０Ａ，２４０Ｂが設けられている。接続部２４０Ａ，２４０Ｂはそれぞれ、少なくとも一つの開口を有している。
【０１２６】
図１８には内部に設けられた施錠部２３０が示されている。そして施錠部２３０が電源や制御信号を受けるためのケーブル２５０を有している。ケーブル２５０は、ケーブル部２５１とコネクタ部２５２を有している。
【０１２７】
接続部２４０Ａ、２４０Ｂは、図１７に示される画像形成装置１と図１８に示される収納装置２００が図５に示されるように隣接して配置された時に、それぞれ接続部１７Ａと接続部１７Ｂと略対向する位置に設けられている。
【０１２８】
以上図１６、図１７、図１８で説明したように、画像形成装置１は、収納装置２００の側面と対向（又は接触）する側面に、収納装置２００の接続部２４０と対応する接続部１７を有する。画像形成装置１はこの接続部１７によって、収納装置２００と、有線による電気接続、または互いを固定するための固定用接続を行うことができる。また収納装置２００は、画像形成装置１の側面と対向（又は接触）する側面に、画像形成装置１の接続部１７と対応する接続部２４０を有する。収納装置２００はこの接続部２４０によって、画像形成装置１と、有線による電気接続、または互いを固定するための固定用接続を行うことができる。より好ましくは、接続部１７は接続部２４０と略対向する位置に設けられる。また接続部２４０は接続部１７と略対向する位置に設けられる。その場合、電気接続や固定用接続を、より簡単に確実に行うことが出来る。
【０１２９】
接続部１７を固定用接続、電気接続いずれに用いるかは、適宜設定できるが、本実施形態においては、図１７（ａ）（ｂ）（ｃ）に示されるように、コネクタ部１８２Ａが接続部１７Ａに向かうようにケーブル部１８１Ａ、コネクタ部１８２Ａが配置される。そしてコネクタ部１８２Ｃが接続部１７Ｂに向かうようにケーブル部１８１Ｃ、コネクタ部１８２Ｃが配置される。
【０１３０】
上述したように本実施形態においては、接続部１７Ａ，１７Ｃはそれぞれ電気接続ケーブルを通して画像形成装置１と収納装置２００を電気的に接続するための開口が設けられている。このとき接続部１７Ａ，１７Ｃは電気接続用接続部である。一方接続部１７Ｄ，１７Ｂのそれぞれの開口は、画像形成装置１と収納装置２００を互いに固定するための開口が設けられている。このとき接続部１７Ｂ、接続部１７Ｄは固定用接続部である。
【０１３１】
なお、接続部１７は複数の開口を有して、それぞれで固定用接続、電気接続用接続を行ってもよい。その場合接続部１７は固定用接続部であり電気接続用接続部である。また側面一つに対し、固定用接続部は複数有してると、画像形成装置１と収納装置２００との固定がより安定する。
【０１３２】
画像形成装置１はその一方の側面に複数の接続部１７を有している。そして、電気接続用接続部は固定用接続部よりも制御基板１５に近い位置に設けられることで画像形成装置１内のケーブル１８の長さを短くできる。
【０１３３】
ケーブル２５０は画像形成装置１の電気接続部である１７Ａと対向する接続部２４０Ａに向かって伸びている。図１８に示される施錠部２３０は装置前面付近に施錠部２３０が設けられているため、ケーブル２５０は装置背面に向かって伸びるように配置される。施錠部２３０が背面付近に設けられた場合は、ケーブル２５０を短くすることができる。また図８に示すように施錠部２３０を複数有している場合は、各施錠部２３０に対応するケーブル２５０を設ける。それに対し接続部１７も同じ数設けてもよいし、一つの接続部１７に複数のケーブル２５０をこのように、画像形成装置１との接続を考慮して、施錠部２３０の設置位置やケーブル２５０の配線は適宜選択可能である。
【０１３４】
図１９は画像形成装置１と収納装置２００との電気的接続の概略構成図である。制御基板１５は、電力供給部１５１と信号出力部１５２とを有する。電力供給部１５１は施錠部２３０の各部への電力を供給するための回路である。信号出力部１５２は施錠部２３０の各部に対する制御信号を出力する回路である。ケーブル部１８１は、電力供給ケーブル１８１１と、信号出力ケーブル１８１２とを有する。電力供給ケーブル１８１１は電力供給部１５１と接続され、施錠部２３０の各部に電力を供給するためのケーブルである。信号出力ケーブル１８１２は、信号出力部１５２と接続され、施錠部２３０の各部への制御信号を送るためのケーブルである。コネクタ部１８２は、電力供給ケーブル１８１１と、信号出力ケーブル１８１２と接続され、電力供給コネクタ部と信号出力コネクタ部として機能する。コネクタ部１８２は、コネクタ部２５２と接続される。
【０１３５】
施錠部２３０は、電力受給部２３２と駆動部２３３とを有する。電力受給部２３２は施錠部２３０各部の動作に必要な電力供給を受ける。駆動部２３３は、信号出力部１５２からの信号に基づき施錠部２３０の各部を駆動する。ケーブル部２５１は、電力受給ケーブル２５１１と、信号入力ケーブル２５１２とを有する。電力受給ケーブル２５１１は施錠部２３０の各部への電力を受けるためのケーブルである。信号入力ケーブル２５１２は、信号出力部１５２からの施錠部２３０各部への制御信号を送るためのケーブルである。コネクタ部２５２は、電力受給ケーブル２５１１と、信号入力ケーブル２５１２と接続され、電力受給コネクタ部と信号入力コネクタ部として機能する。コネクタ部２５２はコネクタ部１８２と接続される。
【０１３６】
以上説明したように、制御基板１５に接続されたケーブル１８は、ケーブル２５０を介して施錠部２３０と電気的に接続される。つまり、施錠部２３０が有する電子錠２３１、電力受給部２３２、駆動部２３３と接続される。したがって施錠部２３０や施錠部２３０が有する電子錠２３１、電力受給部２３２、駆動部２３３は画像形成装置１の操作パネル４等から受け付けた操作に基づき制御される。
【０１３７】
なお、施錠部２３０が、一例として図９〜図１１で説明したように電子錠２３１への電力供給有無で施錠・開錠を行う構成である場合には、必ずしも駆動部２３３を設けなくても施錠部制御部１４０１が電力供給部１５１からの電力供給を制御することで施錠・開錠を行うことができる。つまり図９〜図１１の構成の場合、開錠は図１０で説明したようにコイル部２３１１に対する画像形成装置１からの電力供給が行われることで実行される。一方施錠は図１１で説明したように画像形成装置１が電源ＯＦＦで画像形成装置１からの電力供給が無い状態であっても収納部２２０を収納装置２００内部に押し込むことで実行される。したがって図９〜図１１の施錠部２３０の場合、開錠は画像形成装置１の電源ＯＮの時に可能である一方、施錠は画像形成装置１の電源ＯＦＦでも可能である。
【０１３８】
図２０は、画像形成装置と収納装置を隣接して設置した使用状態の例を示す図である。収納装置２００−１と収納装置２００−２の間に画像形成装置１が設置されている。Ｒ１、Ｒ２、Ｒ３、Ｒ４で示される各領域は、それぞれ接続部１７と接続部２４０とが略対向している領域である。
【０１３９】
収納装置２００−１は、収納部２２０Ａ−１、２２０Ｂ−１、２２０Ｃ−１と、これらの収納部それぞれの施錠部２３０として施錠部２３０Ａ−１、２３０Ｂ−１、２３０Ｃ−１を有している。収納装置２００−２は、収納部２２０Ａ−２、２２０Ｂ−２、２２０Ｃ−２と、これらの収納部それぞれの施錠部２３０として施錠部２３０Ａ−２、２３０Ｂ−２、２３０Ｃ−２を有している。図２０において示すように、各施錠部２３０は幅方向に画像形成装置１に近い位置に設けることにより、収納装置２００内でケーブル２５０をより短くすることができる。また、画像形成装置１は、下部に収納部１６と施錠部２３０Ｄを有する。
【０１４０】
すなわち、収納部２２０Ａ−１、２２０Ｂ−１、２２０Ｃ−１は、画像形成装置１の左側に上から順番に設置されており、図１４および図１５に示した収納部情報としての「１−Ａ」、「１−Ｂ」、「１−Ｃ」に対応する。収納部２２０Ａ−２、２２０Ｂ−２、２２０Ｃ−２は、画像形成装置１の右側に上から順番に設置されており、図１４および図１５に示した収納部情報としての「２−Ａ」、「２−Ｂ」、「２−Ｃ」に対応する。収納部１６は、画像形成装置１の下部に配置されており、図１４および図１５に示した収納部情報としての「３」に対応する。
【０１４１】
なお、図４において説明したように排紙搬送路Ｕ２は画像形成装置１の外を通過することなく、排紙部５に達している。したがって画像形成装置１と収納装置２００−１、より具体的には画像形成装置１の外装１２と収納装置２００−１の外装２１０との間の空間には、ケーブル１８Ａは存在するが、排紙部５や排紙搬送路Ｕ２は存在しない。また、画像形成装置１と収納装置２００−２、より具体的には画像形成装置１の外装１２と収納装置２００−２の外装２１０との間の空間にも、ケーブル１８Ｃは存在するが、排紙部５や排紙搬送路Ｕ２は存在しない。したがってケーブル１８は画像形成装置１の外に排紙されたり、画像形成装置１の外側に排紙された印刷後シートをユーザが取り出したりする動作による影響を受けにくい。またケーブル１８のレイアウトの際、画像形成装置１の外に排紙するための機構との干渉を考慮する必要がなく、ケーブルのレイアウトの自由度があがる。
【０１４２】
ここで図２１〜２８を用いて、画像形成装置１の接続部１７と収納装置２００の接続部２４０における接続構成について述べる。
【０１４３】
図２１は、接続部の接続構成の第一の例である。固定用接続部の例を表している。接続部１７と接続部２４０はそれぞれ、ネジ５００と、ナット６００用の開口、つまりねじ穴ＭＨを有し、ねじで外装１２と外装２１０が互いに固定される。
【０１４４】
このように画像形成装置１と収納装置２００は接続部１７と接続部２４０においてねじ止めされることにより、転倒防止や設置位置のずれが防止される。
【０１４５】
図２２は、接続部の接続構成の第二の例である。固定用接続部の他の例を表している。接続部１７と接続部２４０はそれぞれ、タッピングねじ７００用の開口、つまりタッピングねじ用の下穴ＰＨを有し、タッピングねじで外装１２と外装２１０が互いに固定される。
【０１４６】
このように画像形成装置１と収納装置２００は接続部１７と接続部２４０においてねじ止めされることにより、転倒防止や設置位置のずれが防止される。
【０１４７】
図２１、図２２で説明した接続構成を図１７で説明した構成における適用する例を説明する。図１７で説明した構成においては、制御基板１５の位置に応じた好ましい構成として、接続部１７Ａ，１７Ｃが電気的接続部、接続部１７Ｂ、１７Ｄが固定用接続部である。したがって図２１、図２２で説明した固定用接続部は、図１７で説明した構成においては接続部１７Ｂ、１７Ｄに適用される。
【０１４８】
図２３は、接続部の接続構成の第三の例である。電気的接続部かつ固定用接続部である接続部の例を示している。図２３の左側のコネクタは凹形状コネクタ、右側のコネクタは凸形状コネクタであり、ＥＨはコネクタ用の開口を表している。そして接続部１７と接続部２４０はそれぞれ、ねじ５００と、ナット６００用の開口、つまりねじ穴ＭＨを有し、ねじで外装１２と外装２１０が互いに固定される。このように電気的接続用の開口と固定接続用の開口を近くに設けることにより、例えば画像形成装置１と収納装置２００とのずれによる振動などが電気的接続部に伝わりにくくなり、電気的接続が安定する。
【０１４９】
図２４は、接続部の接続構成の第四の例である。電気的接続部かつ固定用接続部である接続部の例を示している。図２４においては、凹形状コネクタ、凸形状コネクタにも開口ＭＨを設け、コネクタごとねじ止めをしている。このように電気的接続用の開口と固定接続用の開口を近くに設けることにより、例えば画像形成装置１と収納装置２００とのずれによる振動などが電気的接続部に伝わりにくくなり、電気的接続が安定する。
【０１５０】
図２３、図２４で説明した接続構成の、図１７で説明した構成に適用する例を説明する。図１７で説明した構成においては、制御基板１５の位置に応じた好ましい構成として、接続部１７Ａ，１７Ｃが電気的接続部であり、接続部１７Ｂ、１７Ｄが固定用接続部である。したがって図２３、図２４で説明した電気的接続部かつ固定用接続部は、図１７で説明した構成においては接続部１７Ａ、１７Ｃに適用される。
【０１５１】
ここで、図２０における領域Ｒ１における接続と、その他の領域Ｒ２〜Ｒ４における接続との相違点について述べる。まず画像形成装置１は、あらかじめ内部に所定の目的のための空間を有する部材である内部空間部を有している。内部空間部の例としては、車椅子の足置き部分が入るための空間を有する開口部１０、内部に物品などを収納するための空間を有する収納部１６、シート除去等のジャム処理を行うためのシート取り出し空間であるジャム処理空間８５を有するジャム処理部８であるがこれらに限られない。一方で画像形成装置１は、内部に所定の目的のために空間が設けられていない部材である内部密集部を有している。内部密集部の一例としては、画像形成部７である。収納装置２００は、内部空間部として収納部２２０を有している。このような画像形成装置１が有する内部空間部または収納装置２００が有する内部空間部はそれぞれ、接続構成のための空間、またはユーザ等が接続部１７と接続部２４０における接続をするための接続作業用空間として用いることができる。
【０１５２】
このとき領域Ｒ２〜Ｒ４においては、画像形成装置１側と収納装置２２０側どちらも内部空間部である。したがって領域Ｒ２〜Ｒ４においては画像形成装置１側も、収納装置２００の収納部２２０と同様に、内部空間部を、工具等を使用した接続作業のための空間として大きく使うことができる。一方領域Ｒ１は、画像形成装置１側は、内部密集部である画像形成部７に対応する部分に設けられた接続部１７Ｃで接続される。この場合、内部密集部である画像形成部７は、内部空間部とは異なり内部に広い空間が無いため、接続や接続作業に使える空間も小さい。したがって、固定用接続するためのねじや電気的接続をするためのコネクタは、画像形成装置１側は小さい方が好ましい。以下この領域Ｒ１における接続構成について説明する。
【０１５３】
図２５は、接続部の接続構成の第五の例である。領域Ｒ１での固定用接続部の例を表している。接続部１７Ｃと接続部２４０Ｃはそれぞれ、ねじ５００と、ナット６００用の開口、つまりねじ穴ＭＨを有し、ねじで外装１２と外装２１０が互いに固定される。ねじ５００の長さ（Ｌ１）はナット６００の長さ（Ｌ２）よりも大きい場合を示している。このとき、図２５に示されるように収納装置２００側からねじ止めされる接続構成である。したがって、画像形成装置１側が内部密集部である画像形成部７であって画像形成装置１側は接続作業スペースが少ない場合でも、ユーザは接続作業スペースがある収納装置２００側にナット６００と比較して大きな部材であるねじ５００や、接続のための工具などを入れて、収納装置２００側からねじ止めなどの接続作業を行うことができる。
【０１５４】
図２６は、接続部の接続構成の第六の例である。領域Ｒ１での固定用接続部の例を表している。接続部１７Ｃと接続部２４０Ｃはそれぞれ、タッピングねじ７００用の開口、つまりタッピングねじ用の下穴ＰＨを有し、タッピングねじで外装１２と外装２１０が互いに固定される。このとき、図２６に示されるように収納装置２００側からねじ止めされる構成である。したがって画像形成装置１側は内部密集部である画像形成部７であるため接続作業スペースが少ない場合でも、ユーザは接続作業スペースがある収納装置２００側からねじや接続のための工具などを入れて、収納装置２００側からねじ止めなどの作業を行うことができる。
【０１５５】
図２７は、接続部の接続構成の第七の例である。領域Ｒ１での電気的接続部かつ固定用接続部である接続部の例を示している。図２７においては、収納部２００側のコネクタ部２５２が凸形状コネクタ、画像形成装置１側のコネクタ１９が凹形状コネクタである。なお凸形状コネクタの長さ（Ｌ３）は凹形状コネクタ（Ｌ４）の長さよりも大きい場合を示している。このとき、図２７に示されるように収納装置２００側から比較的形状が大きなコネクタ、つまり凸形状コネクタを差し込む構成である。したがって画像形成装置１側は内部密集部である画像形部７であるため接続作業スペースが少ない場合でも、ユーザは接続作業スペースがある収納装置２００側に比較的形状が大きな凸形状コネクタを差し込み、接続作業を行うことができる。また図２７に示されるように収納装置２００側からねじ止めされる構成である。したがって画像形成装置１側は内部密集部である画像形成部７であるため接続作業スペースが少ない場合でも、ユーザは接続作業スペースがある収納装置２００側からねじ止めなどの作業を行うことができる。
【０１５６】
図２８は、接続部の接続構成の第八の例である。電気的接続部かつ固定用接続部である接続部の例を示している。図２８においては、凹形状コネクタであるコネクタ１９、凸形状コネクタであるコネクタ２６０にも開口ＰＨを設け、コネクタごとタッピングねじ７００Ａ、７００Ｂでねじ止めをする構成である。このとき、図２７に示されるように収納装置２００側から比較的形状が大きなコネクタ、つまり凸形状コネクタを差し込む構成である。したがって画像形成装置１側は内部密集部である画像形成部７であるため接続作業スペースが少ない場合でも、ユーザは、形状が大きな凸形状コネクタを接続作業スペースがある収納装置２００側から差し込み、接続作業を行うことができる。また図２７に示されるように収納装置２００側からねじ止めされる構成である。したがって画像形成装置１側は内部密集部である画像形成部７であるため接続作業スペースが少ない場合でも、ユーザは接続作業スペースがある収納装置２００側からねじ止めなどの作業を行うことができる。
【０１５７】
図２７、図２８で説明した接続構成を、図１７で説明した構成に適用する例を説明する。図１７で説明した構成においては、制御基板１５の位置に応じた好ましい構成として、接続部１７Ａ，１７Ｃを電気的接続部とし、接続部１７Ｂ、１７Ｄを固定用接続部とした。また、図１７で説明した構成においては、内部密集部である画像形成部７と面する接続部は１７Ｃである。したがって図２７、図２８で説明した電気的接続部かつ固定用接続部は、図１７で説明した構成においては接続部１７Ｃに適用されるとよい。
【０１５８】
図２９は、施錠部の動作の第四の説明図である。図２９に示す施錠部２３０は、鉄心２３１２を検知するセンサ２３８を備えており、その他の構成は、図９と同様である。センサ２３８は、発光部と受光部を備える光透過型のセンサであり、センサ２３８の位置に鉄心２３１２が位置すると検知信号を出力する。図２９は施錠された状態を示しており、センサ２３８の位置に鉄心２３１２は位置しないので、センサ２３８は、検知信号を出力しない。
【０１５９】
図３０は、施錠部の動作の第五の説明図である。図２９に示す施錠部２３０は、図２９と同様に鉄心２３１２を検知するセンサ２３８を備えており、その他の構成は、図１０と同様である。図２９は開錠された状態を示しており、センサ２３８の位置に鉄心２３１２の一部２３１２Ａが位置するので、センサ２３８は、検知信号を出力する。
【０１６０】
図３１は、本発明の一実施形態である施錠システムの機能ブロック図である。施錠システムは、図２０に示した使用状態に対応しており、画像形成装置１と、収納部２２０Ａ−２、２２０Ｂ−２、２２０Ｃ−２を備える。収納部２２０Ａ−２、２２０Ｂ−２、２２０Ｃ−２は、図１４および図１５に示した収納部情報としての「２−Ａ」、「２−Ｂ」、「２−Ｃ」に対応する。
【０１６１】
なお、図２０に示した収納部２２０Ａ−１、２２０Ｂ−１、２２０Ｃ−１（図１４および図１５に示した収納部情報としての「１−Ａ」、「１−Ｂ」、「１−Ｃ」に対応）は、図示を省略するが、収納部２２０Ａ−２、２２０Ｂ−２、２２０Ｃ−２と同様に構成される。
【０１６２】
画像形成装置１は、図１２に示した機能ブロック図と同様に、入力受付部１１０と、表示制御部１２０と、通信制御部１３０と、制御部１４０と、記憶部１５０と、読出・書込処理部１６０とを有する。制御部１４０は施錠部制御部１４０１を有し、記憶部１５０は施錠部制御権限記憶部１５０１を有する。
【０１６３】
画像形成装置１は、図１２に示した機能ブロック図に加えて、収納部１６を施錠する施錠部２３０Ｄを備え、施錠部２３０Ｄは、図２９および図３０に示したコイル部２３１１への電力供給を制御する駆動制御部２３６Ｄと、図２９および図３０に示したセンサ２３８により実現される検知信号取得部２３７Ｄを備える。
【０１６４】
施錠部制御部１４０１は、図１３のステップＳ４およびステップＳ５で説明したように、入力受付部１１０にユーザによって入力された操作対象情報に基づき、開錠の対象となる収納部２２０を指定する開錠信号を出力する。
【０１６５】
駆動制御部２３６Ｄは、制御基板１５のＣＰＵ等の処理および駆動回路によって実現され、施錠部制御部１４０１から出力される開錠信号を受け取ると、コイル部２３１１へ電力供給して、図３０に示したように開錠状態とする。
【０１６６】
検知信号取得部２３７Ｄがセンサ２３８の検知信号を発生すると、表示制御部１２０は、検知信号を受け取って、図１４（ｄ）および図１５（ｄ）に示したように、操作パネル４の表示画面に「解除しました。」というメッセージを表示させる。なお、表示制御部１２０は、画像形成装置１が収納部１６および施錠部２３０Ｄを備えない場合には、図１４および図１５に示した「３」のボタンは、操作パネル４に表示させない。
【０１６７】
収納部２２０Ａ−２、２２０Ｂ−２、２２０Ｃ−２は、それぞれ、収納部２２０Ａ−１、２２０Ｂ−１、２２０Ｃ−１を施錠する施錠部２３０Ａ−２、２３０Ｂ−２、２３０Ｃ−２を備え、施錠部２３０Ａ−２は通信制御部２３５Ａを備える。
【０１６８】
施錠部２３０Ａ−２、２３０Ｂ−２、２３０Ｃ−２は、さらに、それぞれ、図２９および図３０に示したコイル部２３１１への電力供給を制御する駆動制御部２３６Ａ、２３６Ｂ、２３６Ｃと、図２９および図３０に示したセンサ２３８により実現される検知信号取得部２３７Ａ、２３７Ｂ、２３７Ｃを備える。通信制御部２３５Ａと、駆動制御部２３６Ａ、２３６Ｂ、２３６Ｃと、検知信号取得部２３７Ａ、２３７Ｂ、２３７Ｃは、信号線２０１０Ａにより接続されている。
【０１６９】
通信制御部２３５Ａは、制御基板のＣＰＵの処理によって実現され、画像形成装置１との通信インターフェースの制御をする機能を実行する。通信制御部２３５Ａは、信号線２０００Ａによって、画像形成装置１の通信制御部１３０と接続されている。
【０１７０】
通信制御部２３５Ａは、収納部２２０Ａ−２、２２０Ｂ−２、２２０Ｃ−２が接続されているかを識別する収納部識別信号、および収納部２２０Ａ−２、２２０Ｂ−２、２２０Ｃ−２がどの位置に配置されているかの配置識別信号を画像形成装置１の通信制御部１３０へ送信する。
【０１７１】
表示制御部１２０は、通信制御部１３０を介して、収納部識別信号を受け取ると、図１４および図１５に示した「２−Ａ」、「２−Ｂ」、「２−Ｃ」のボタンのうち、収納部識別信号に対応するボタンを、配置識別信号に対応する配置で操作パネル４に表示させる。例えば、収納部２２０Ａ−２から収納部識別信号、および右上を示す配置識別信号を受信すると、操作パネル４上で、右上方に「２−Ａ」のボタンを表示させる。表示制御部１２０は、収納部識別信号を受け取っていない収納部のボタンについては、操作パネル４に表示させない。
【０１７２】
施錠部制御部１４０１が、収納部２２０Ａ−１、２２０Ｂ−１、２２０Ｃ−１の何れかを指定する開錠信号を出力すると、通信制御部１３０は、通信制御部２３５Ａに対して、指定された収納部に対応する開錠信号を送信する。
【０１７３】
駆動制御部２３６Ａ、２３６Ｂ、２３６Ｃは、それぞれ、ＣＰＵ等の処理および駆動回路によって実現され、通信制御部２３５Ａを介して、施錠部制御部１４０１から出力された開錠信号を受け取ると、コイル部２３１１へ電力供給して、図３０に示したように開錠状態とする。
【０１７４】
検知信号取得部２３７Ａ、２３７Ｂまたは２３７Ｃがセンサ２３８の検知信号を発生すると、通信制御部２３５Ａは、検知信号を受け取って、通信制御部１３０に対して検知信号を送信する。
【０１７５】
表示制御部１２０は、通信制御部１３０を介して、検知信号取得部２３７Ａ、２３７Ｂまたは２３７Ｃから出力される検知信号を受け取ると、図１４（ｄ）および図１５（ｄ）に示したように、操作パネル４の表示画面に「解除しました。」というメッセージを表示させる。
【０１７６】
図３２は、図３１に示した機能ブロック図の変形例である。図３２に示す変形例では、通信制御部２３５Ａは、双方向の無線通信２０００によって、画像形成装置１の通信制御部１３０と接続されている。その他は、図３１と同様である。
【０１７７】
図３３は、図３１に示した機能ブロック図の他の変形例である。図３３に示す変形例では、施錠部２３０Ｂ−２、２３０Ｃ−２は、それぞれ、通信制御部２３５Ｂ、２３５Ｃを備える。
【０１７８】
通信制御部２３５Ｂ、２３５Ｃは、それぞれ、制御基板のＣＰＵの処理によって実現され、画像形成装置１との通信インターフェースの制御をする機能を実行する。通信制御部２３５Ｂ、２３５Ｃは、それぞれ、信号線２０００Ｂ、２０００Ｃによって、画像形成装置１の通信制御部１３０と接続されている。
【０１７９】
通信制御部２３５Ａ、２３５Ｂ、２３５Ｃは、それぞれ、収納部２２０Ａ−２、２２０Ｂ−２、２２０Ｃ−２の何れであるかを識別する収納部識別信号、および収納部２２０Ａ−２、２２０Ｂ−２、２２０Ｃ−２がどの位置に配置されているかの配置識別信号を画像形成装置１の通信制御部１３０へ送信する。
【０１８０】
施錠部制御部１４０１が、収納部２２０Ａ−１、２２０Ｂ−１、２２０Ｃ−１の何れかを指定する開錠信号を出力すると、通信制御部１３０は、通信制御部２３５Ａ、２３５Ｂ、２３５Ｃのうち、指定された収納部に対応する通信制御部に対して開錠信号を送信する。その他は、図３１と同様である。
【０１８１】
図３４は、図３３に示した機能ブロック図の変形例である。図３４に示す変形例では、通信制御部２３５Ａ、２３５Ｂ、２３５Ｃは、それぞれ、双方向の無線通信２０００によって、画像形成装置１の通信制御部１３０と接続されている。その他は、図３３と同様である。
【０１８２】
図３５は、施錠部制御処理を示す第二のフローチャートである。図１３に示したフローチャートでは開錠に係る処理を行ったが、図３２に示すフローチャートでは施錠に係る処理を行う。
【０１８３】
まず入力受付部１１０は、ユーザ情報を受け付ける（Ｓ１）。すると施錠部制御部１４０１は施錠部制御権限記憶部１５０１の施錠部制御権限テーブルを参照し、入力されたユーザ情報に基づきユーザが施錠部に関する操作権限を有するかを判断する（Ｓ２）。
【０１８４】
そしてステップＳ２で権限有りと判断された場合（ＹＥＳ）、表示制御部１２０は施錠の対象となる収納部２２０の候補を操作パネル４に表示させ（Ｓ３）、入力受付部１１０はユーザによって入力された操作対象情報、一例として施錠の対象となる収納部２２０を特定可能な情報を受け付ける（Ｓ４）。施錠部制御部１４０１が制御している対象の収納部が一つの場合は、ステップＳ４は省略してもよい。
【０１８５】
そして施錠部制御部１４０１は、入力された操作対象である収納部２２０の操作処理を実行し（Ｓ５）、本処理フローは終了する。操作処理は一例として図１０において説明したようなコイル部２３１への電力供給の終了であるが、これに限られない。
【０１８６】
一方ステップＳ２で権限無しと判断された場合（ＮＯ）、表示制御部１２０は、操作パネル４に、施錠権限がない旨メッセージを表示して（Ｓ６）、本処理フローは終了する。
【０１８７】
図３６は、画像形成装置に表示される画面遷移の第三の例である。
【０１８８】
図３６（ａ）に示される画面は、画像形成装置１の操作パネル４に表示される初期画面（ホーム画面）である。画像形成装置１で実行可能な機能として「コピー」、「プリンタ」、「スキャナ」、「キャビネットロック」と記載されたボタンが表示されており、ユーザは画像形成装置１で実行したい機能が記載されたボタンを押して選択可能である。またユーザは画像形成装置１に、操作パネル４からパスワードを入力したり、カードリーダ１４にＩＤカードを読み取らせたりするなどしてログインしており、図３６（ａ）の画面にはログイン中のユーザが「○○さん：ログイン中」と表示されている。いずれかの収納部２２０の開錠を行いたいユーザは図３６（ａ）において「キャビネットロック」と記載されたボタンを選択する。
【０１８９】
図３６（ｂ）は図３６（ａ）において「キャビネットロック」と記載されたボタンが選択されると表示される画面である。図３６（ｂ）の画面にはロックするキャビネットの候補として「１−Ａ」、「１−Ｂ」、「１−Ｃ」、「３」、「２−Ａ」、「２−Ｂ」、「２−Ｃ」の７種類のボタンが表示されている。一例として、「１−Ａ」、「１−Ｂ」、「１−Ｃ」は画像形成装置１の左側に上から順番に設置されている収納装置２００の３つの収納部２２０を表している。「３」は画像形成装置１の下部の収納部１６を表している。そして「２−Ａ」、「２−Ｂ」、「２−Ｃ」は画像形成装置１の右側に上から順番に設置されている収納装置２００の３つの収納部２２０を表している。図３６（ｂ）においてユーザは施錠したいキャビネットが記載されているボタンを選択する。
【０１９０】
図３６（ｂ）において、画像形成装置１はログイン中のユーザのユーザ情報に基づき、施錠部２３０に対する操作権限を有している収納装置２００のみ表示し、施錠部２３０に対する操作権限を有していない収納装置２００を表示しないようにしてもよい。あるいは、図３６（ｂ）において、画像形成装置１はログイン中のユーザのユーザ情報に基づき、施錠部２３０に対する操作権限を有していない収納装置２００を表示するが、選択できないようにしてもよい。
【０１９１】
なお、図３６（ａ）において「キャビネットロック」と記載されたボタンが押された後、画像形成装置１はログイン中のユーザのユーザ情報に基づき、施錠部２３０に対する操作権限を有しているかを判断して、権限を有していない場合は権限がない旨を操作パネル４に表示させてもよい。
【０１９２】
図３６（ｃ）は図３６（ｂ）において「１−Ａ」と記載されたボタンが選択されると表示される画面である。図３６（ｂ）の画面には施錠の対象として選択された「１−Ａ」が他の候補よりも濃い色で表示されていることを示している。そして確認メッセージとして「１−Ａをロックしますか？」「はい」「いいえ」と表示されている。ユーザは施錠の対象が正しければ「はい」を選択する。
【０１９３】
図３６（ｄ）は図３６（ｃ）において「はい」と記載されたボタンが選択されると表示される画面である。図３６（ｄ）には施錠部２３０操作の状況を示すメッセージとして、「ロックしました。」というメッセージが表示されている。このメッセージが表示されるとユーザは施錠の対象が施錠されたことが確認できる。
【０１９４】
これらの図３６（ａ）〜（ｄ）の表示内容、および表示の切り替えは、表示制御部１２０によって制御されている。
【０１９５】
以上、本発明の各実施形態について詳述したが、かかる特定の実施形態に限定されるものではなく、特許請求の範囲に記載された本発明の要旨の範囲内において、種々の変形・変更が可能である。
【０１９６】
以上説明したように、本発明の一実施形態に係る画像形成装置１は、対象物に画像を形成する画像形成部７と、施錠制御装置を備える。施錠制御装置は、複数の収納部（２２０Ａ−１、２２０Ｂ−１、２２０Ｃ−１、２２０Ａ−２、２２０Ｂ−２、２２０Ｃ−２、１６）にそれぞれ備えられた複数の施錠部（２３０Ａ−１、２３０Ｂ−１、２３０Ｃ−１、２３０Ａ−２、２３０Ｂ−２、２３０Ｃ−２、２３０Ｄ）を制御し、収納部を示す収納部情報を操作パネル４（表示部の一例）に複数（「１−Ａ」、「１−Ｂ」、「１−Ｃ」、「３」、「２−Ａ」、「２−Ｂ」、「２−Ｃ」）表示させる表示制御部１２０と、複数の収納部情報のうち一部の収納部情報（例えば「１−Ａ」）の入力を受け付ける入力受付部１１０と、入力受付部が受け付けた一部の収納部情報に対応する一部の前記施錠部に対して、施錠部を開錠する開錠信号を出力する施錠部制御部１４０１（開錠制御部の一例）と、を備える。
【０１９７】
これにより、ユーザは複数の収納部のうち任意の収納部を選択して容易に開錠することができるため、ユーザの利便性が向上する。
【０１９８】
さらに、表示制御部１４は、複数の収納部の配置を示すように、複数の収納部情報を操作パネル４に表示させる。
【０１９９】
これにより、ユーザは開錠したい収納部の配置を操作パネル４上で確認した上で、収納部を選択して開錠することができるため、開錠したい収納部を誤って選択するおそれが低減し、ユーザの利便性が向上する。
【０２００】
また、入力受付部１１０は、さらに、ユーザを認証するユーザ情報の入力を受け付け、表示制御部１１０は、入力受付部１１０が受け付けたユーザ情報に対応する複数の収納部情報を操作パネル４に表示させる。
【０２０１】
これにより、ユーザは自らが開錠可能な収納部を操作パネル４上で確認した上で、収納部を選択して開錠することができるため、ユーザの利便性が向上する。
【符号の説明】
【０２０２】
１  画像形成装置
２  スキャナ
３  自動原稿搬送部（搬送読取部の一例）
４  操作パネル部（表示部、操作部、入力部）
５  排紙部
６  積置部
７  画像形成部
８  ジャム処理部
９Ａ、９Ｂ、９Ｃ  シートトレイ
１０  開口部
１１  収納部
１２  外装
１２Ｃ−１、１２Ｃ−２  連結具取付部
１２Ｒ、１２Ｌ  外装側面
１３  底板
１４  カードリーダ
１５  制御基板
１５１  電力供給部
１５２  信号出力部
１６  収納部
１６１  取っ手
１７Ａ、１７Ｂ  接続部
１８  ケーブル
１８１  ケーブル部
１８１１  電力供給ケーブル
１８１２  信号出力ケーブル
１８２  コネクタ部
７０  搬送路（搬送部の一例）
７１  シート搬送路（シート搬送部の一例）
７２  排紙搬送路（排紙搬送部の一例）
１１０  入力受付部
１２０  表示制御部
１４０  制御部
１４０１  施錠部制御部
１５０  記憶部
１５０１  施錠部制御権限記憶部
２００  収納装置
２１０  外装
２２０Ａ、２２０Ｂ、２２０Ｃ  収納部
２２１Ａ、２２１Ｂ、２２１Ｃ  取っ手
２３０  施錠部
２３１  電子錠
２４０Ａ、２４０Ｂ  接続部
２５０  ケーブル
２５１  ケーブル部
２５１１  電力受給ケーブル
２５１２  信号入力ケーブル
２５２  コネクタ部
３００  収納装置
３２１Ａ、３２１Ｂ  取っ手
４００Ａ、４００Ｂ  連結具
【先行技術文献】
【特許文献】
【０２０３】
【特許文献１】特開２０１０−２７３０９４
【特許文献２】特許第４２８４０４８号
【特許文献３】特許第４６８３５４１号
【図１】
2020041395.tif 000003
【図２】
2020041395.tif 000004
【図３】
2020041395.tif 000005
【図４】
2020041395.tif 000006
【図５】
2020041395.tif 000007
【図６】
2020041395.tif 000008
【図７】
2020041395.tif 000009
【図８】
2020041395.tif 000010
【図９】
2020041395.tif 000011
【図１０】
2020041395.tif 000012
【図１１】
2020041395.tif 000013
【図１２】
2020041395.tif 000014
【図１３】
2020041395.tif 000015
【図１４】
2020041395.tif 000016
【図１５】
2020041395.tif 000017
【図１６】
2020041395.tif 000018
【図１７】
2020041395.tif 000019
【図１８】
2020041395.tif 000020
【図１９】
2020041395.tif 000021
【図２０】
2020041395.tif 000022
【図２１】
2020041395.tif 000023
【図２２】
2020041395.tif 000024
【図２３】
2020041395.tif 000025
【図２４】
2020041395.tif 000026
【図２５】
2020041395.tif 000027
【図２６】
2020041395.tif 000028
【図２７】
2020041395.tif 000029
【図２８】
2020041395.tif 000030
【図２９】
2020041395.tif 000031
【図３０】
2020041395.tif 000032
【図３１】
2020041395.tif 000033
【図３２】
2020041395.tif 000034
【図３３】
2020041395.tif 000035
【図３４】
2020041395.tif 000036
【図３５】
2020041395.tif 000037
【図３６】
2020041395.tif 000038